(57)【特許請求の範囲】
【請求項１】
第一のソケット本体と、第二のソケット本体と、第一のプラグと、第二のプラグとを有する圧縮空気供給装置であって、
前記第一のソケットは、
略筒状をなし軸方向先端に開口部が形成された第一のソケット本体と、
該第一のソケット本体内を該第一のソケット本体の軸方向先端側空間と軸方向基端側空間とに隔て、該軸方向先端側空間と該軸方向基端側空間とを連通する貫通孔が形成された第１の隔壁部と、
該貫通孔を貫通し該軸方向先端側空間内及び該軸方向基端側空間内へ突出し、該軸方向先端側空間内へ突出する部分がプラグ当接部をなし、該軸方向基端側空間内へ突出する部分が該貫通孔を閉塞可能な弁部をなす第１の弁体と、
該第１の弁体を該第一のソケット本体の該軸方向先端側空間方向へ付勢することにより、該プラグ当接部に力が作用してないときに該第１の弁部により該貫通孔を閉塞する閉塞位置に該第１の弁体を配置させる第１の付勢手段とを備え、
該軸方向先端側空間を画成する該第一のソケット本体は、前記第１の隔壁部の近傍に設けられた先端部受部と、該先端部受部よりも該第一のソケット本体の該開口部寄りの部分に設けられたプラグ固定部と、該プラグ固定部よりも該第一のソケット本体の該開口部寄りの部分に設けられた第１拡径部挿入部と、該第１拡径部挿入部から該第一のソケット本体の該開口部までの部分をなす第２拡径部挿入部とを有し、
前記第二のソケットは、
略筒状をなし軸方向先端に開口部が形成された第二のソケット本体と、
該第二のソケット本体内を該第二のソケット本体の軸方向先端側空間と軸方向基端側空間とに隔て、該軸方向先端側空間と該軸方向基端側空間とを連通する貫通孔が形成された第２の隔壁部と、
該貫通孔を貫通し該軸方向先端側空間内及び該軸方向基端側空間内へ突出し、該軸方向先端側空間内へ突出する部分がプラグ当接部をなし、該軸方向基端側空間内へ突出する部分が該貫通孔を閉塞可能な弁部をなす第２の弁体と、
該第２の弁体を該第二のソケット本体の該軸方向先端側空間方向へ付勢することにより、該プラグ当接部に力が作用してないときに該第２の弁部により該貫通孔を閉塞する第２の付勢手段とを備え、
該軸方向先端側空間を画成する該第二のソケット本体は、該第２の隔壁部近傍に設けられた先端部受部と、該先端部受部よりも該第二のソケット本体の該開口部寄りの部分に設けられたプラグ固定部と、該プラグ固定部から該第二のソケット本体の該開口部までの部分をなす拡径部挿入部とを有し、
前記第一のプラグは、
第一の基部と該第一の基部に接続された第一の挿入部とを有し、
前記第一のソケット又は前記第二のソケットの該ソケット本体の、該開口部から該軸方向先端側空間内へ該第一の挿入部を挿入可能であり、
該第一の挿入部は、該第一のソケットの該先端部受部に挿入可能な先端部と、該先端部よりも該第一の基部側に配置され該第一のソケットの該プラグ固定部が係合する縮径部と、該縮径部よりも該第一の基部側に配置され該第１拡径部挿入部及び該拡径部挿入部に挿入可能な第１拡径部と、該第１拡径部よりも該第一の基部側に配置され該第一の基部に接続され該第２拡径部挿入部に挿入可能であり該拡径部挿入部に挿入不可能であり該第１拡径部よりも拡径した第２拡径部とを備え、
該第一の挿入部の軸方向における該縮径部から該先端部の先端までの最短距離は、該第１の弁体が閉塞位置にあるときの該第一のソケットの該第一のソケット本体の軸方向における該プラグ固定部から該プラグ当接部までの最短距離よりも長く、該第一の挿入部の軸方向における該第２拡径部から該第一の挿入部の該先端部の先端までの最短距離は、該第２の弁体が閉塞位置にあるときの該第二のソケット本体の軸方向における該プラグ当接部から該開口部までの最短距離よりも短く、
前記第二のプラグは、
第二の基部と該第二の基部に接続された第二の挿入部とを有し、
該第二のソケット本体の、該開口部から該軸方向先端側空間内へ該第二の挿入部を挿入可能な第二のプラグであって、
該第二の挿入部は、該第一のソケットおよび該第二のソケットの該先端部受部に挿入可能な先端部と、該先端部よりも該第二の基部側に配置され該第二のソケットの該プラグ固定部が係合する該縮径部と、該縮径部よりも該第二の基部側に配置され該第二の基部に接続され該拡径部挿入部に挿入可能な拡径部とを備え、該第二の挿入部の軸方向における該縮径部から該先端部の先端までの最短距離は、該該第２の弁体が閉塞位置にあるときの該第二のソケットの該第二のソケット本体の軸方向における該プラグ固定部から該プラグ当接部までの最短距離よりも長いことを特徴とする圧縮空気供給装置。
【請求項２】
略筒状をなし軸方向先端に開口部が形成されたソケット本体と、
該ソケット本体内を該ソケット本体の軸方向先端側空間と軸方向基端側空間とに隔て、該軸方向先端側空間と該軸方向基端側空間とを連通する貫通孔が形成された隔壁部と、
該貫通孔を貫通し該軸方向先端側空間内及び該軸方向基端側空間内へ突出し、該軸方向先端側空間内へ突出する部分がプラグ当接部をなし、該軸方向基端側空間内へ突出する部分が該貫通孔を閉塞可能な弁部をなす弁体と、
該弁体を該ソケット本体の該軸方向先端側空間方向へ付勢することにより、該プラグ当接部に力が作用してないときに該弁部により該貫通孔を閉塞する閉塞位置に該弁体を配置させる付勢手段とを備え、
該軸方向先端側空間を画成する該ソケット本体の部分は、該隔壁部近傍の部分をなす先端部受部と、該先端部受部よりも該ソケット本体の該開口部寄りの部分に設けられたプラグ固定部と、該プラグ固定部から該ソケット本体の該開口部までの部分をなす拡径挿入部とを有し、
該プラグ固定部は、該ソケット本体の半径方向へ該ソケット本体を貫通する固定部貫通孔と、該固定部貫通孔内と該固定部貫通孔外との間を移動可能に配置された球とを有し、
該ソケット本体には、略筒状をなし該ソケット本体と略同軸的に配置され該ソケット本体の軸方向先端寄りの位置において該球を該固定部貫通孔内から該軸方向先端側空間内へ突出させる球押入れ位置と該ソケット本体の基端寄りの位置において該球を該軸方向先端側空間内に突出させずに該固定部貫通孔内に配置させる球開放位置との間で移動可能な球押圧部材と、該球押圧部材を該ソケット本体の軸方向先端方向へ押圧する第１付勢手段と、略筒状をなし該球押圧部材と同軸的に該球押圧部材及び該第１付勢手段を内側に配置し該ソケット本体の軸方向に移動可能であり該ソケット本体の軸方向基端方向への移動により該球押圧部材に当接して該球押圧部材を該球押入れ位置から該球開放位置へと移動させる球押圧部移動部材と、該球押圧部移動部材を該ソケット本体の軸方向先端方向へ付勢する第２付勢手段とが設けられていることを特徴とするソケット。
【請求項３】
該第１付勢手段は該ソケット本体と同軸的に配置された第１弦巻バネからなり、第２付勢手段は、該第１弦巻バネとは反対方向へ巻かれ該第１弦巻バネと同軸的に配置され該第１弦巻バネを内側に配置する第２弦巻バネからなることを特徴とする請求項２に記載のソケット。
【請求項４】
該ソケット本体の周面上であって該開口部近傍の部分には該ソケット本体の周面を環装するようにＯリングが固着され、
該ソケット本体の軸方向先端方向における該球押圧部移動部材の端部の内周面は、該Ｏリングに当接可能なＯリング当接部を有することを特徴とする請求項２又は請求項３の何れか一項に記載のソケット。
【発明の詳細な説明】
【技術分野】
【０００１】
本発明は第一のソケット、第二のソケット、第一のプラグ、第二のプラグ、及びソケットに関し、特に圧縮空気により駆動する釘打機等の空気工具へ圧縮空気を供給するためのホースの端部やエアコンプレッサの空気供給口等に設けられる第一のソケット、第二のソケット、第一のプラグ、第二のプラグ、及びソケットに関する。
【背景技術】
【０００２】
圧縮空気により駆動する釘打機へ圧縮空気を供給するためのエアコンプレッサの空気供給口にはソケットが設けられており、当該空気供給口のソケットに接続されるホースの一端部にはプラグが設けられている。また、ホースの他端部にはソケットが設けられており、当該ホースの他端部のソケットに接続される釘打機等の圧縮空気により駆動するいわゆる空気工具の部分にはプラグが設けられている。それぞれソケットにプラグを挿入し固定して接続することにより、エアコンプレッサの空気供給口からホース内へ圧縮空気を供給することができ、また、空気工具へホース内の圧縮空気を供給することができる。これらソケット、プラグは継手と呼ばれている。このようなソケット、プラグは、例えば特開２０００−５５２７２号公報（特許文献１）等に記載されている。
【０００３】
ソケット、プラグは、それぞれ使用される圧縮空気の圧力に対応して、それぞれ構成の異なる一般圧用のものと高圧用のものとが用いられている。一般圧用のものの圧力の上限は０．９８ＭＰａであり、高圧用のものの圧力の上限は２．９４ＭＰａである。そして、一般圧用の継手と高圧用の継手とは、安全上一般圧用の空気工具に高圧の圧縮空気が供給出来ないように互いに接続できない構成となっている。具体的には、高圧用のソケットは高圧用のプラグのみに接続可能であり、一般圧用のソケットは一般圧用のプラグのみに接続可能である。
【特許文献１】特開２０００−５５２７２号公報
【発明の開示】
【発明が解決しようとする課題】
【０００４】
接続のやり方によっては、比較的低い圧力の圧縮空気しか供給出来ない場合であって、且つ、比較的低い圧力と比較的高い圧力との間で重複する圧力範囲内において使用する場合が考えられる。具体的には、比較的低い圧力の圧縮空気を供給するエアコンプレッサを比較的高い圧力に使用可能なホースを用いて比較的高い圧力に使用可能な補助タンクに接続するような場合である。
【０００５】
このような場合であっても、従来のソケット、プラグでは、比較的高い圧力用のソケットは比較的高い圧力用のプラグのみに接続可能であり、安全上問題はないと考えられるソケットとプラグとの接続、即ち、比較的低い圧力用のソケットと比較的高い圧力用のプラグとの接続により使用することはできなかった。これでは、今後更に高圧用のものが新たに製造される毎に、例えば、４．５ＭＰａ用、４．９ＭＰａ用といった具合に更なる高い圧力に対応するソケット、プラグをそれぞれ新規に購入する必要があり、ユーザの購入負担が大きくなる。このため、比較的低い圧力用のソケット、比較的高い圧力用のソケット、比較的低い圧力用のプラグ、比較的高い圧力用のプラグの間に、安全上問題のない接続ができる範囲内での互換性が要求されていた。
【０００６】
そこで、本発明は、安全上問題のない接続ができる範囲内での互換性を有する第一のソケット、第二のソケット、第一のプラグ、第二のプラグ、及びソケットを提供することを目的とする。
【課題を解決するための手段】
【０００７】
上記目的を達成するために、本発明は、第一のソケット本体と、第二のソケット本体と、第一のプラグと、第二のプラグとを有する圧縮空気供給装置であって、前記第一のソケットは、略筒状をなし軸方向先端に開口部が形成された第一のソケット本体と、該第一のソケット本体内を該第一のソケット本体の軸方向先端側空間と軸方向基端側空間とに隔て、該軸方向先端側空間と該軸方向基端側空間とを連通する貫通孔が形成された第１の隔壁部と、該貫通孔を貫通し該軸方向先端側空間内及び該軸方向基端側空間内へ突出し、該軸方向先端側空間内へ突出する部分がプラグ当接部をなし、該軸方向基端側空間内へ突出する部分が該貫通孔を閉塞可能な弁部をなす第１の弁体と、該第１の弁体を該第一のソケット本体の該軸方向先端側空間方向へ付勢することにより、該プラグ当接部に力が作用してないときに該第１の弁部により該貫通孔を閉塞する閉塞位置に該第１の弁体を配置させる第１の付勢手段とを備え、該軸方向先端側空間を画成する該第一のソケット本体は、前記第１の隔壁部の近傍に設けられた先端部受部と、該先端部受部よりも該第一のソケット本体の該開口部寄りの部分に設けられたプラグ固定部と、該プラグ固定部よりも該第一のソケット本体の該開口部寄りの部分に設けられた第１拡径部挿入部と、該第１拡径部挿入部から該第一のソケット本体の該開口部までの部分をなす第２拡径部挿入部とを有し、前記第二のソケットは、略筒状をなし軸方向先端に開口部が形成された第二のソケット本体と、該第二のソケット本体内を該第二のソケット本体の軸方向先端側空間と軸方向基端側空間とに隔て、該軸方向先端側空間と該軸方向基端側空間とを連通する貫通孔が形成された第２の隔壁部と、該貫通孔を貫通し該軸方向先端側空間内及び該軸方向基端側空間内へ突出し、該軸方向先端側空間内へ突出する部分がプラグ当接部をなし、該軸方向基端側空間内へ突出する部分が該貫通孔を閉塞可能な弁部をなす第２の弁体と、該第２の弁体を該第二のソケット本体の該軸方向先端側空間方向へ付勢することにより、該プラグ当接部に力が作用してないときに該第２の弁部により該貫通孔を閉塞する第２の付勢手段とを備え、該軸方向先端側空間を画成する該第二のソケット本体は、該第２の隔壁部近傍に設けられた先端部受部と、該先端部受部よりも該第二のソケット本体の該開口部寄りの部分に設けられたプラグ固定部と、該プラグ固定部から該第二のソケット本体の該開口部までの部分をなす拡径部挿入部とを有し、前記第一のプラグは、第一の基部と該第一の基部に接続された第一の挿入部とを有し、前記第一のソケット又は前記第二のソケットの該ソケット本体の、該開口部から該軸方向先端側空間内へ該第一の挿入部を挿入可能であり、該第一の挿入部は、該第一のソケットの該先端部受部に挿入可能な先端部と、該先端部よりも該第一の基部側に配置され該第一のソケットの該プラグ固定部が係合する縮径部と、該縮径部よりも該第一の基部側に配置され該該第１拡径部挿入部及び該拡径部挿入部に挿入可能な第１拡径部と、該第１拡径部よりも該第一の基部側に配置され該第一の基部に接続され該第２拡径部挿入部に挿入可能であり該拡径部挿入部に挿入不可能であり該第１拡径部よりも拡径した第２拡径部とを備え、該第一の挿入部の軸方向における該縮径部から該先端部の先端までの最短距離は、該第１の弁体が閉塞位置にあるときの該第一のソケットの該第一のソケット本体の軸方向における該プラグ固定部から該プラグ当接部までの最短距離よりも長く、該第一の挿入部の軸方向における該第２拡径部から該第一の挿入部の該先端部の先端までの最短距離は、該第２の弁体が閉塞位置にあるときの該第二のソケット本体の軸方向における該プラグ当接部から該開口部までの最短距離よりも短く、前記第二のプラグは、第二の基部と該第二の基部に接続された第二の挿入部とを有し、該第一および第二のソケット本体の、該開口部から該軸方向先端側空間内へ該第二の挿入部を挿入可能な第二のプラグであって、該第二の挿入部は、該第一のソケットおよび該第二のソケットの該先端部受部に挿入可能な先端部と、該先端部よりも該第二の基部側に配置され該第一のソケットおよび該第二のソケットの該プラグ固定部が係合する該縮径部と、該縮径部よりも該第二の基部側に配置され該第二の基部に接続され該第１拡径部挿入部及び該拡径部挿入部に挿入可能な拡径部とを備え、該第二の挿入部の軸方向における該縮径部から該先端部の先端までの最短距離は、該第２の弁体が閉塞位置にあるときの該第二のソケットの該第二のソケット本体の軸方向における該プラグ固定部から該プラグ当接部までの最短距離よりも長いことを特徴とする圧縮空気供給装置を提供している。
【０００８】
第二の挿入部、第一の挿入部は、先端部と、先端部よりも第二の基部側、第一の基部側にそれぞれ配置された縮径部とをそれぞれ備え、更に、第二の挿入部は、縮径部よりも第二の基部側に配置され第二の基部に接続された拡径部を備え、軸方向先端側空間を画成する第一のソケット本体の部分は、隔壁部近傍の部分をなし先端部を挿入可能な先端部受部と、先端部受部よりも第一のソケット本体の開口部寄りの部分に設けられ縮径部に係合可能なプラグ固定部と、プラグ固定部よりも第一のソケット本体の開口部寄りの部分に設けられ第二の挿入部の拡径部及び第一の挿入部の第１拡径部を挿入可能な第１拡径部挿入部と、拡径部挿入部から第一のソケット本体の開口部までの部分をなし第２拡径部を挿入可能な第２拡径部挿入部とを有するため、軸方向先端側空間内に第二の挿入部全体を挿入することができる。この結果、プラグ固定部を縮径部に係合させることができ、第一のソケットに第二のプラグを挿入し固定することができる。
【０００９】
従って、第一のソケットに第二のプラグを挿入し固定し、第一のソケットから第二のプラグへと圧縮空気を供給することができる。この結果、安全上問題のなく第一のソケットと第二のプラグとを接続して使用することができ、互換性を高めることができる。
【００１１】
第二の挿入部、第一の挿入部は、先端部と、先端部よりも第二の基部側、第一の基部側にそれぞれ配置された縮径部とをそれぞれ備え、更に、第一の挿入部は、縮径部よりも第一の基部側に配置され第二の挿入部の拡径部と同径の第１拡径部と、第１拡径部よりも第一の基部側に配置され第一の基部に接続され第１拡径部よりも拡径した第２拡径部とを備え、軸方向先端側空間を画成する第二のソケット本体の部分は、隔壁部近傍の部分をなし先端部を挿入可能な先端部受部と、先端部受部よりも第二のソケット本体の開口部寄りの部分に設けられ縮径部に係合可能なプラグ固定部と、プラグ固定部から第二のソケット本体の開口部までの部分をなし第二の挿入部の拡径部及び第一の挿入部の第１拡径部を挿入可能な拡径部挿入部とを有するため、第一の挿入部の第２拡径部の部分を軸方向先端側空間内に挿入することができず、このため、プラグ固定部を縮径部に係合させないようにすることができる。この結果、挿入された第一のプラグを第二のソケットに固定できないようにすることができる。
【００１２】
また、第一の挿入部の軸方向における第２拡径部から第一の挿入部の先端部の先端までの最短距離は、弁体が閉塞位置にあるときの第二のソケット本体の軸方向におけるプラグ当接部から開口部までの最短距離よりも短いために、誤って第一のプラグを第二のソケットに挿入しても弁体の弁部が貫通孔を閉塞した状態を維持することができる。従って、誤って第一のプラグを第二のソケットに挿入したときに、圧縮空気が流出することを防止することができる。
【００１４】
第二のソケットのソケット本体は第二のソケット本体からなり、第一のソケットのソケット本体は第一のソケット本体からなり、軸方向先端側空間を画成する第二のソケット本体の部分、軸方向先端側空間を画成する第一のソケット本体の部分は、隔壁部近傍の部分をなす先端部受部と、先端部受部よりも第二のソケット本体の開口部寄りの部分と第一のソケット本体の開口部寄りの部分とにそれぞれ設けられたプラグ固定部とをそれぞれ備え、更に、軸方向先端側空間を画成する第二のソケット本体の部分は、プラグ固定部から第二のソケット本体の開口部までの部分をなす拡径部挿入部を備え、第一の挿入部は、先端部受部に挿入可能な先端部と、先端部よりも第一の基部側に配置されプラグ固定部が係合する縮径部と、縮径部よりも第一の基部側に配置され第１拡径部挿入部及び拡径部挿入部に挿入可能な第１拡径部と、第１拡径部よりも第一の基部側に配置され第一の基部に接続され第２拡径部挿入部に挿入可能であり第１拡径部よりも拡径した第２拡径部とを備えているため、第一の挿入部の第２拡径部の部分を軸方向先端側空間内に挿入することができず、このため、第一の挿入部全体を軸方向先端側空間内へ挿入できないことによりプラグ固定部を縮径部に係合させないようにすることができる。この結果、挿入された第一のプラグを第二のソケットに固定できないようにすることができる。
【００１５】
また、第一の挿入部の軸方向における第２拡径部から第一の挿入部の先端部の先端までの最短距離は、弁体が閉塞位置にあるときの第二のソケット本体の軸方向におけるプラグ当接部から開口部までの最短距離よりも短いために、誤って第一のプラグを第二のソケットに挿入しても弁体の弁部が貫通孔を閉塞した状態を維持することができる。従って、誤って第一のプラグを第二のソケットに挿入したときに、圧縮空気が流出することを防止することができる。
【００１７】
第二のソケットのソケット本体は第二のソケット本体からなり、第一のソケットのソケット本体は第一のソケット本体からなり、軸方向先端側空間を画成する第二のソケット本体の部分、軸方向先端側空間を画成する第一のソケット本体の部分は、隔壁部近傍の部分をなす先端部受部と、先端部受部よりも第二のソケット本体の開口部寄りの部分と第一のソケット本体の開口部寄りの部分とにそれぞれ設けられたプラグ固定部とをそれぞれ備え、更に、軸方向先端側空間を画成する第一のソケット本体の部分は、プラグ固定部よりも第一のソケット本体の開口部寄りの部分に設けられた第１拡径部挿入部と、第１拡径部挿入部から第一のソケット本体の開口部までの部分をなす第２拡径部挿入部とを備え、第二の挿入部は、先端部受部に挿入可能な先端部と、先端部よりも第二の基部側に配置されプラグ固定部が係合する縮径部と、縮径部よりも第二の基部側に配置され第二の基部に接続され第１拡径部挿入部及び拡径部挿入部に挿入可能な拡径部とを備えているため、軸方向先端側空間内に第二の挿入部全体を挿入することができる。この結果、プラグ固定部を縮径部に係合させることができ、第一のソケットに第二のプラグを挿入し固定することができる。
【００１８】
また、第二の挿入部の軸方向における縮径部から先端部の先端までの最短距離は、弁体が閉塞位置にあるときの第一のソケットの第一のソケット本体の軸方向におけるプラグ固定部からプラグ当接部までの最短距離よりも長いため、第一のソケットに第二のプラグを挿入し固定した状態のときに、弁体の弁部が貫通孔を開放した状態とすることができる。これらのことより、第一のソケットに第二のプラグを挿入し固定し、第一のソケットから第二のプラグへと圧縮空気を供給することができる。この結果、安全上問題のなく第一のソケットと第二のプラグとを接続して使用することができ、互換性を高めることができる。
【００１９】
また、第一のソケットに第二のプラグを接続して使用することができるため、第二のプラグを第一のプラグと共通使用することが可能となり、数量効果を期待できる。このため、第一の、第二のと専用にそれぞれ作る場合より安価に製造・提供することが可能となる。
【００２０】
また、本発明は、略筒状をなし軸方向先端に開口部が形成されたソケット本体と、該ソケット本体内を該ソケット本体の軸方向先端側空間と軸方向基端側空間とに隔て、該軸方向先端側空間と該軸方向基端側空間とを連通する貫通孔が形成された隔壁部と、該貫通孔を貫通し該軸方向先端側空間内及び該軸方向基端側空間内へ突出し、該軸方向先端側空間内へ突出する部分がプラグ当接部をなし、該軸方向基端側空間内へ突出する部分が該貫通孔を閉塞可能な弁部をなす弁体と、該弁体を該ソケット本体の該軸方向先端側空間方向へ付勢することにより、該プラグ当接部に力が作用してないときに該弁部により該貫通孔を閉塞する閉塞位置に該弁体を配置させる付勢手段とを備え、該軸方向先端側空間を画成する該ソケット本体の部分は、該隔壁部近傍の部分をなす先端部受部と、該先端部受部よりも該ソケット本体の該開口部寄りの部分に設けられたプラグ固定部と、該プラグ固定部から該ソケット本体の該開口部までの部分をなす拡径挿入部とを有し、該プラグ固定部は、該ソケット本体の半径方向へ該ソケット本体を貫通する固定部貫通孔と、該固定部貫通孔内と該固定部貫通孔外との間を移動可能に配置された球とを有し、該ソケット本体には、略筒状をなし該ソケット本体と略同軸的に配置され該ソケット本体の軸方向先端寄りの位置において該球を該固定部貫通孔内から該軸方向先端側空間内へ突出させる球押入れ位置と該ソケット本体の基端寄りの位置において該球を該軸方向先端側空間内に突出させずに該固定部貫通孔内に配置させる球開放位置との間で移動可能な球押圧部材と、該球押圧部材を該ソケット本体の軸方向先端方向へ押圧する第１付勢手段と、略筒状をなし該球押圧部材と同軸的に該球押圧部材及び該第１付勢手段を内側に配置し該ソケット本体の軸方向に移動可能であり該ソケット本体の軸方向基端方向への移動により該球押圧部材に当接して該球押圧部材を該球押入れ位置から該球開放位置へと移動させる球押圧部移動部材と、該球押圧部移動部材を該ソケット本体の軸方向先端方向へ付勢する第２付勢手段とが設けられているソケットを提供している。
【００２１】
ソケット本体には、略筒状をなしソケット本体と略同軸的に配置されソケット本体の軸方向先端寄りの位置において球を固定部貫通孔内へ押入れる球押入れ位置とソケット本体の基端寄りの位置において球を固定部貫通孔外へ移動可能とする球開放位置との間で移動可能な球押圧部材と、球押圧部材をソケット本体の軸方向先端方向へ押圧する第１付勢手段と、略筒状をなし球押圧部材と同軸的に球押圧部材及び第１付勢手段を内側に配置しソケット本体の軸方向に移動可能でありソケット本体の軸方向基端方向への移動により球押圧部材に当接して球押圧部材を球押入れ位置から球開放位置へと移動させる球押圧部移動部材と、球押圧部移動部材をソケット本体の軸方向先端方向へ付勢する第２付勢手段とが設けられているため、球押圧部材と球押圧部移動部材とが一体で構成され、当該一体で構成されたものを１つの付勢手段により付勢する場合と比較して、設計の自由度を高めることができる。
【００２２】
ここで、該第１付勢手段は該ソケット本体と同軸的に配置された第１弦巻バネからなり、第２付勢手段は、該第１弦巻バネとは反対方向へ巻かれ該第１弦巻バネと同軸的に配置され該第１弦巻バネを内側に配置する第２弦巻バネからなることが好ましい。
【００２３】
第１付勢手段はソケット本体と同軸的に配置された第１弦巻バネからなり、第２付勢手段は、第１弦巻バネとは反対方向へ巻かれた第２弦巻バネからなるため、第２弦巻バネが第１弦巻バネと同軸的に配置され第１弦巻バネを内側に配置して、第２弦巻バネと第１弦巻バネとが互いに近接配置された構成の場合であっても、互いに干渉して絡まることを防止することができる。
【００２４】
また、該ソケット本体の周面上であって該開口部近傍の部分には該ソケット本体の周面を環装するようにＯリングが固着され、該ソケット本体の軸方向先端方向における該球押圧部移動部材の端部の内周面は、該Ｏリングに当接可能なＯリング当接部を有することが好ましい。
【００２５】
ソケット本体の周面上であって開口部近傍の部分にはソケット本体の周面を環装するようにＯリングが固着され、ソケット本体の軸方向先端方向における球押圧部移動部材の端部の内周面は、Ｏリングに当接可能なＯリング当接部を有するため、例えば、ソケット本体の軸方向先端部においてソケット本体の周面からソケットの半径方向へ突出し、ソケット本体の軸方向先端方向における球押圧部移動部材の先端を覆うような形状の部材を設けて、ソケット本体の軸方向先端方向への球押圧部移動部材の移動を規制するような構成とせずに済み、ソケット本体の軸方向先端部をコンパクトな構成とすることができる。
【発明の効果】
【００２６】
以上より、本発明は、安全性を担保した上で接続の互換性を有する第一のソケット、第二のソケット、第一のプラグ、第二のプラグ、及びソケットを提供することができる。
【発明を実施するための最良の形態】
【００２７】
本発明の第の実施の形態による第一のソケット、第二のソケット、第一のプラグ、第二のプラグ、及びソケットについて、図１乃至図１０に基づき説明する。以下の本実施の形態では、低圧用ソケット１は第一のソケットに相当し、高圧用ソケット２は第二のソケットに相当し、低圧用プラグ３は第一のプラグに相当し、高圧用プラグ４は第二のプラグに相当する。また、低圧用ソケット１、高圧用ソケット２はそれぞれソケットに相当する。ここで、低圧用ソケット１、低圧用プラグ３の「低圧用」とは、絶対的に低圧の圧縮空気を扱う意味ではなく、「高圧用プラグ４」、「高圧用ソケット２」の使用可能な圧縮空気の圧力の上限に対して相対的に低圧であるという意味である。同様に、高圧用ソケット２、高圧用プラグ４の「高圧用」とは、絶対的に高圧の圧縮空気を扱う意味ではなく、「低圧用プラグ３」、「低圧用ソケット１」の使用可能な圧縮空気の圧力の上限に対して相対的に高圧であるという意味である。より具体的には本実施の形態では、低圧用ソケット１、低圧用プラグ３の使用可能な圧縮空気の圧力の上限は４．５ＭＰａであり、高圧用ソケット２、高圧用プラグ４の使用可能な圧縮空気の圧力の上限は４．９ＭＰａであり、それぞれ一般に高圧とされている圧縮空気の圧力である２．９４ＭＰａよりもはるかに高圧である。
【００２８】
低圧用ソケット１は、図１に示されるように、低圧ソケット本体先端側部１１０と、低圧ソケット本体基端側部１２０と、弁体１３０と、鋼球１４１と、球押圧部材１４２と、球押圧部移動部材１４３とを備えている。低圧ソケット本体先端側部１１０は略筒状をなし、一端が隔壁部１１１により閉塞され他端が開口部１１０Ａをなしている。低圧ソケット本体先端側部１１０の図の右側の外面をなす隔壁部１１１の端面には、当該端面全面にパッキン１１２が設けられており、隔壁部１１１及びパッキン１１２の中心位置には、低圧ソケット本体先端側部１１０の軸方向へ貫通する円形の貫通孔１１０ａが形成されている。
【００２９】
弁体１３０は貫通孔１１０ａ内に設けられている。弁体１３０は一端及び他端がそれぞれ貫通孔１１０ａの開口から突出しており、低圧ソケット本体先端側部１１０の内部空間へ突出している部分はプラグ当接部１３０Ａをなし、後述の低圧ソケット本体基端側部１２０の内部空間へ突出している部分は弁部１３０Ｂをなす。低圧ソケット本体先端側部１１０の内部空間は軸方向先端側空間に相当し、後述の低圧ソケット本体基端側部１２０の内部空間は軸方向基端側空間に相当する。
【００３０】
パッキン１１２に対向する弁部１３０Ｂの部分は貫通孔１１０ａよりも径の大きな円形をなしており、貫通孔１１０ａの開口の周囲を構成するパッキン１１２の部分に当接することにより、貫通孔１１０ａを閉塞可能である。弁部１３０Ｂが貫通孔１１０ａを閉塞しているときの弁体１３０の位置は閉塞位置に相当する。
【００３１】
低圧ソケット本体先端側部１１０の隔壁部１１１の近傍部は、後述の高圧用プラグ４の高圧挿入部４２０、低圧用プラグ３の低圧挿入部３２０の先端部細部３２１を挿入可能な内径を有する先端部細部挿入部１１０Ｂをなしている。先端部細部挿入部１１０Ｂの一部であって低圧ソケット本体先端側部１１０の他端の開口部１１０Ａ寄りの部分にはＯリング１１３が設けられている。隔壁部１１１が接続されている先端部細部挿入部１１０Ｂの一端に対する他端は、後述の高圧用プラグ４の高圧挿入部４２０の先端部拡径部３２２と低圧用プラグ３の低圧挿入部３２０の先端部拡径部３２２とをそれぞれ挿入可能な内径を有する先端部拡径部挿入部１１０Ｃに接続されている。先端部細部挿入部１１０Ｂが接続されている先端部拡径部挿入部１１０Ｃの一端に対する他端は、後述の高圧用プラグ４の縮径部３２３、低圧用プラグ３の縮径部３２３に対向するプラグ固定部１１０Ｄに接続されている。
【００３２】
プラグ固定部１１０Ｄは、低圧ソケット本体先端側部１１０の半径方向へ低圧ソケット本体先端側部１１０を貫通する固定部貫通孔１１０ｂと、図１に示されるように、固定部貫通孔１１０ｂ内に配置された鋼球１４１とを有しており、鋼球１４１は、後述の球押圧部材１４２と球押圧部移動部材１４３とにより、図７に示されるように、固定部貫通孔１１０ｂ内から軸方向先端側空間内へ突出した状態の球押入れ位置と、図６等に示されるように、軸方向先端側空間内に突出させずに固定部貫通孔１１０ｂ内に配置させられた球開放位置との間で移動可能である。
【００３３】
先端部拡径部挿入部１１０Ｃが接続されているプラグ固定部１１０Ｄの一端に対する他端は、後述の高圧用プラグ４の拡径部４２４、低圧用プラグ３の第１拡径部３２４を挿入可能な内径を有する第１拡径部挿入部１１０Ｅに接続されている。第１拡径部挿入部１１０Ｅは拡径挿入部に相当する。プラグ固定部１１０Ｄが接続されている第１拡径部挿入部１１０Ｅの一端に対する他端は、後述の低圧用プラグ３の第２拡径部３２５を挿入可能な内径を有する第２拡径部挿入部１１０Ｆに接続されている。第２拡径部挿入部１１０Ｆは拡径挿入部に相当する。第１拡径部挿入部１１０Ｅが接続されている第２拡径部挿入部１１０Ｆの一端に対する他端は、低圧ソケット本体先端側部１１０の他端の開口部１１０Ａをなす。低圧ソケット本体先端側部１１０の他端の開口部１１０Ａ近傍の部分には溝が形成されており、溝にはＯリング１１４が嵌合されている。従ってＯリング１１４は、低圧ソケット本体先端側部１１０の周面を環装するように配置されている。
【００３４】
低圧ソケット本体基端側部１２０は、略筒状をなし、一端及び他端が開口部をなしている。低圧ソケット本体先端側部１１０の一端は、低圧ソケット本体基端側部１２０の一端部分の内周面により画成される内部空間内に挿入されて、図１等に示されるように、低圧ソケット本体基端側部１２０に固定されている。低圧ソケット本体基端側部１２０と低圧ソケット本体基端側部１２０に固定された状態の低圧ソケット本体先端側部１１０とで第一のソケット本体、ソケット本体を構成する。
【００３５】
低圧ソケット本体基端側部１２０の内部には段部１２０Ａが設けられており、段部１２０Ａには、付勢部材たるバネ１２１の一端が当接している。バネ１２１の他端は弁体１３０の弁部１３０Ｂに当接している。従って、弁体１３０は、弁体１３０のプラグ当接部１３０Ａに力が作用していない場合には、弁体１３０はバネ１２１の付勢力によって弁部１３０Ｂが貫通孔１１０ａを閉塞する閉塞位置とされるように構成されている。後述のように弁体１３０のプラグ当接部１３０Ａに高圧用プラグ４、低圧用プラグ３が当接し、図１の右方向へ弁体１３０を押圧しバネ１２１の付勢力に抗して移動させることにより、弁部１３０Ｂにより閉塞されていた貫通孔１１０ａが開放されるように構成されている。低圧ソケット本体基端側部１２０の他端部たる図１の右端部及びその近傍部は、低圧用ソケット１を図示せぬホースの端部又は図示せぬエアコンプレッサの一部や図示せぬ補助タンクの一部に固定するための固定部をなしている。
【００３６】
球押圧部材１４２は、低圧ソケット本体先端側部１１０の周面上であってプラグ固定部１１０Ｄ相当部分には設けられている。球押圧部材１４２は、略筒状をなしており、低圧ソケット本体先端側部１１０と略同軸的に配置されている。球押圧部材１４２は、低圧ソケット本体先端側部１１０に対してその軸方向へ摺動可能である。より詳細には球押圧部材１４２は、図７に示されるように、低圧ソケット本体先端側部１１０の他端開口部１１０Ａ寄りの位置、即ち、図７の左寄りの位置へ移動して鋼球１４１に当接し鋼球１４１を固定部貫通孔１１０ｂ内において低圧ソケット本体先端側部１１０の略半径方向内方へ押圧し、鋼球１４１を固定部貫通孔１１０ｂ内から軸方向先端側空間内へ突出させる球押入れ位置と、図６に示されるように、低圧ソケット本体先端側部１１０の一端寄り位置、即ち、図６の右寄りの位置へ移動して鋼球１４１を固定部貫通孔１１０ｂ内において低圧ソケット本体先端側部１１０の略半径方向内方へ押圧していない状態として、鋼球１４１を軸方向先端側空間内に突出させずに固定部貫通孔１１０ｂ内に配置可能な球開放位置との間で移動可能である。
【００３７】
低圧ソケット本体先端側部１１０の他端開口部１１０Ａ寄りの球押圧部材１４２の部分にはフランジ部１４２Ａが設けられており、フランジ部１４２Ａには、低圧ソケット本体先端側部１１０と同軸的に配置された第１弦巻バネ１４４の一端が当接している。第１弦巻バネ１４４の他端は、低圧ソケット本体基端側部１２０の一端部近傍部分に当接している。この構成により、第１弦巻バネ１４４の付勢力によって球押圧部材１４２は低圧ソケット本体先端側部１１０の他端開口部１１０Ａの方向へ付勢されている。第１弦巻バネ１４４は第１付勢手段に相当する。
【００３８】
また、球押圧部移動部材１４３は略筒状をなしており、低圧ソケット本体先端側部１１０、第１弦巻バネ１４４、及び球押圧部材１４２、及び後述の第２弦巻バネ１４５を内側に配置して、低圧ソケット本体先端側部１１０と同軸的に設けられている。球押圧部移動部材１４３は低圧ソケット本体先端側部１１０に対して低圧ソケット本体先端側部１１０の軸方向へ移動可能である。
【００３９】
球押圧部移動部材１４３の内周面には、第１段部１４３Ａと第２段部１４３Ｂと第３段部１４３Ｃとが設けられており、第１段部１４３Ａには第２付勢手段として設けられた第２弦巻バネ１４５の一端が当接している。第２弦巻バネ１４５の他端は、低圧ソケット本体基端側部１２０の一端部近傍部分に当接している。この構成により、第２弦巻バネ１４５の付勢力によって球押圧部移動部材１４３は低圧ソケット本体先端側部１１０の他端開口部１１０Ａの方向へ付勢されており、球押圧部移動部材１４３に第２弦巻バネ１４５からの力以外の力が作用していないときには、図１に示されるように、低圧ソケット本体先端側部１１０のＯリング１１４に第３段部１４３Ｃが当接して位置決めされるように構成されている。第３段部１４３ＣはＯリング当接部に相当する。
【００４０】
第２段部１４３Ｂには球押圧部材１４２の図１に示される左端部たるフランジ部１４２Ａが当接可能である。球押圧部移動部材１４３が低圧ソケット本体先端側部１１０の一端の方向たる図１の右方向へ移動してゆき、第２段部１４３Ｂには球押圧部材１４２が当接し、更に移動してゆくことで、球押圧部材１４２も低圧ソケット本体先端側部１１０の一端の方向へ移動することができるように構成されている。Ｏリング１１４に第３段部１４３Ｃが当接している状態のときに、球押圧部材１４２が低圧ソケット本体先端側部１１０の一端の方向へ移動させられると、鋼球１４１が低圧ソケット本体先端側部１１０の半径方向外方へ移動可能となり、図６に示されるように、第２段部１４３Ｂの部分に鋼球１４１の一部が嵌入することができるように構成されている。また、球押圧部移動部材１４３が低圧ソケット本体先端側部１１０の一端の方向たる図８の右方向へ移動してゆくと、鋼球１４１が低圧ソケット本体先端側部１１０の半径方向外方へ移動可能となり、図８に示されるように、第３段部１４３Ｃの部分に鋼球１４１の一部が嵌入することができるように構成されている。
【００４１】
第２弦巻バネ１４５は、第１弦巻バネ１４４とは反対方向へ巻かれており、第１弦巻バネ１４４と同軸的に配置されている。このため、第２弦巻バネ１４５が第１弦巻バネ１４４と同軸的に配置され第１弦巻バネ１４４を内側に配置して、第２弦巻バネ１４５と第１弦巻バネ１４４とが互いに近接配置されている場合であっても、互いに干渉して絡まることを防止することができる。
【００４２】
また上述のように、低圧ソケット本体には、略筒状をなし低圧ソケット本体と略同軸的に配置され低圧ソケット本体の軸方向先端寄りの位置において鋼球１４１を固定部貫通孔１１０ｂ内から軸方向先端側空間内へ突出させる球押入れ位置と低圧ソケット本体の基端寄りの位置において鋼球１４１を軸方向先端側空間内に突出させずに固定部貫通孔１１０ｂ内に配置させる球開放位置との間で移動可能な球押圧部材１４２と、球押圧部材１４２を低圧ソケット本体の軸方向先端方向へ押圧する第１付勢手段と、略筒状をなし球押圧部材１４２と同軸的に球押圧部材１４２及び第１付勢手段を内側に配置し低圧ソケット本体の軸方向に移動可能であり低圧ソケット本体の軸方向基端方向への移動により球押圧部材１４２に当接して球押圧部材１４２を球押入れ位置から球開放位置へと移動させる球押圧部移動部材１４３と、球押圧部移動部材１４３を低圧ソケット本体の軸方向先端方向へ付勢する第２付勢手段とが設けられているため、球押圧部材と球押圧部移動部材とが一体で構成され、当該一体で構成されたものを１つの付勢手段により付勢する場合と比較して、設計の自由度を高めることができる。
【００４３】
また、低圧ソケット本体の周面上であって開口部１１０Ａ近傍の部分には低圧ソケット本体の周面を環装するようにＯリング１１４が固着され、低圧ソケット本体の軸方向先端方向における球押圧部移動部材１４３の端部の内周面は、Ｏリング１１４に当接可能なＯリング当接部を有するため、例えば、低圧ソケット本体の軸方向先端部において低圧ソケット本体の周面から低圧ソケットの半径方向へ突出し、低圧ソケット本体の軸方向先端方向における球押圧部移動部材１４３の先端を覆うような形状の部材を設けて、低圧ソケット本体の軸方向先端方向への球押圧部移動部材１４３の移動を規制するような構成とせずに済み、低圧ソケット本体の軸方向先端部をコンパクトな構成とすることができる。
【００４４】
次に、高圧用ソケット２について説明する。高圧用ソケット２は、低圧ソケット本体先端側部１１０に代えて高圧ソケット本体先端側部２１０が設けられている点において低圧用ソケット１とは異なるが、それ以外の部分は低圧用ソケット１と同一の構成であるため、当該異なる部分についてのみ説明する。
【００４５】
図２に示されるように、高圧ソケット本体先端側部２１０は低圧ソケット本体先端側部１１０と同一の先端部拡径部挿入部１１０Ｃ、第１拡径部挿入部１１０Ｅ、プラグ固定部１１０Ｄを有している。先端部拡径部挿入部１１０Ｃが接続されているプラグ固定部１１０Ｄの一端に対する他端は、後述の高圧用プラグ４の高圧挿入部４２０の拡径部４２４と低圧用プラグ３の第１拡径部３２４とを挿入可能な内径を有する拡径部挿入部２１０Ｅに接続されている。拡径部挿入部２１０Ｅは拡径挿入部に相当する。プラグ固定部１１０Ｄが接続されている拡径部挿入部２１０Ｅの一端に対する他端は、高圧ソケット本体先端側部２１０の他端の開口部１１０Ａをなす。低圧ソケット本体基端側部１２０と同一形状の高圧ソケット本体基端側部１２０と、高圧ソケット本体基端側部に固定された状態の高圧ソケット本体先端側部２１０とで第二のソケット本体、ソケット本体を構成する。
【００４６】
上述のような構成であるため、弁体１３０が閉塞位置にあるときの高圧用ソケット２の高圧ソケット本体の軸方向におけるプラグ固定部１１０Ｄからプラグ当接部１３０Ａまでの最短距離は、弁体１３０が閉塞位置にあるときの低圧用ソケット１の低圧ソケット本体の軸方向におけるプラグ固定部１１０Ｄからプラグ当接部１３０Ａまでの最短距離と同一である。また、弁体１３０が閉塞位置にあるときの高圧用ソケット２の高圧ソケット本体の軸方向における開口部１１０Ａからプラグ当接部１３０Ａまでの最短距離は、弁体１３０が閉塞位置にあるときの低圧用ソケット１の低圧ソケット本体の軸方向における開口部１１０Ａからプラグ当接部１３０Ａまでの最短距離と同一である。
【００４７】
次に、低圧用プラグ３について説明する。低圧用プラグ３は、図３に示されるように、低圧基部３１０と低圧基部３１０に接続された低圧挿入部３２０とを有している。低圧基部３１０は第二の基部に相当し、低圧挿入部３２０は第二の挿入部に相当する。低圧基部３１０及び低圧挿入部３２０の内部には圧縮空気を流すことが可能な内部圧縮空気流路３ａが形成されており、図３に示される低圧基部３１０の左端部において内部圧縮空気流路３ａの一端が開口し、図３に示される低圧挿入部３２０の右端部近傍の後述の先端部細部３２１の部分において図３の上下方向に向かって、また、図３の紙面の表面から裏面へ向かう方向及び紙面の裏面から表面へ向かう方向に向かって、それぞれ開口している。
【００４８】
低圧基部３１０に接続されている低圧挿入部３２０の基端に対する先端の部分は先端部細部３２１をなしており、先端部細部３２１の先端たる一端に対する他端には先端部細部３２１よりも径の大きな先端部拡径部３２２が接続されている。先端部細部３２１及び先端部拡径部３２２は先端部に相当する。先端部細部３２１に接続されている先端部拡径部３２２の一端に対する他端には、先端部拡径部３２２よりも径の小さな縮径部３２３が接続されている。
【００４９】
先端部拡径部３２２に接続されている縮径部３２３の一端に対する他端には、先端部拡径部３２２と同一の径を有する第１拡径部３２４が接続されている。縮径部３２３に接続されている第１拡径部３２４の一端に対する他端には、第１拡径部３２４よりも径の大きく、低圧用ソケット１の第１拡径部挿入部１１０Ｅ、高圧用ソケット２の拡径部挿入部２１０Ｅの内径よりも大きな第２拡径部３２５が接続されている。第１拡径部３２４に接続されている第２拡径部３２５の一端に対する他端には、低圧挿入部３２０が接続されている低圧基部３１０の部分に設けられ第２拡径部３２５よりも径の大きいフランジ部３１１が接続されている。低圧基部３１０のフランジ部３１１以外の部分は、図示せぬホースの端部又は低圧用プラグ３を空気工具の一部に固定するための固定部をなしている。
【００５０】
図３に示されるように、先端部細部３２１に接続されている先端部拡径部３２２の部分は先端部細部３２１から徐々に拡径する傾斜面となっている。同様に、縮径部３２３に接続されている先端部拡径部３２２の部分は、縮径部３２３から徐々に拡径する傾斜面となっている。また、縮径部３２３に接続されている第１拡径部３２４の部分は縮径部３２３から徐々に拡径する傾斜面となっている。また、第１拡径部３２４に接続されている第２拡径部３２５の部分は第１拡径部３２４から徐々に拡径する傾斜面となっている。
【００５１】
低圧挿入部３２０の軸方向における縮径部３２３から先端部細部３２１の先端までの最短距離は、弁体１３０が閉塞位置にあるときの低圧ソケット本体の軸方向におけるプラグ固定部１１０Ｄからプラグ当接部１３０Ａまでの最短距離よりも長い。このため、低圧挿入部３２０の縮径部３２３がプラグ固定部１１０Ｄの鋼球１４１により低圧用プラグ３が低圧ソケット本体に固定されて接続されているときに、低圧挿入部３２０の先端部細部３２１の先端がプラグ当接部１３０Ａに当接し、弁体１３０をバネ１２１の付勢力に抗して貫通孔１１０ａが弁部１３０Ｂにより閉塞されていない状態とすることができる。
【００５２】
また、低圧挿入部３２０の軸方向における第２拡径部３２５から低圧挿入部３２０の先端部細部３２１の先端までの最短距離は、弁体１３０が閉塞位置にあるときの高圧ソケット本体の軸方向におけるプラグ当接部１３０Ａから開口部１１０Ａまでの最短距離よりも短い。このため、低圧用プラグ３の第２拡径部３２５が、高圧用ソケット２の拡径部挿入部２１０Ｅの他端たる高圧ソケット本体先端側部１１０の他端の開口部１１０Ａに当接してこれ以上低圧挿入部３２０が高圧用ソケット２に挿入できない状態になっているときに、低圧挿入部３２０の先端部細部３２１の先端が弁体１３０のプラグ当接部１３０Ａに当接することを防止でき、弁部１３０Ｂによる貫通孔１１０ａの閉塞を維持することができ、圧縮空気が漏れ出てしまうことを防止できる。
【００５３】
次に、高圧用プラグ４について説明する。高圧用プラグ４は、高圧基部４１０と高圧基部４１０に接続された高圧挿入部４２０とを有しており、高圧挿入部４２０は、第２拡径部３２５が設けられていない点で低圧用プラグ３の低圧挿入部３２０と異なる。高圧基部４１０は第二の基部に相当し、高圧挿入部４２０は第二の挿入部に相当する。また、第１拡径部３２４に代えて第１拡径部３２４と同一径の拡径部４２４が設けられ、縮径部３２３に接続されている拡径部４２４の一端に対する他端には、低圧基部３１０と同一形状の高圧基部４１０に設けられ低圧基部３１０のフランジ部３１１と同一形状のフランジ部４１１が接続されている点において低圧用プラグ３の低圧挿入部３２０とは異なる。これ以外の部分は低圧用ソケット１と同一の構成である。
【００５４】
従って、高圧挿入部４２０の軸方向における縮径部３２３から先端部細部３２１の先端までの最短距離は低圧挿入部３２０の軸方向における縮径部３２３から先端部細部３２１の先端までの最短距離と同一であり、高圧挿入部４２０の軸方向における高圧挿入部４２０の長さは低圧挿入部３２０の軸方向における低圧挿入部３２０の長さと同一である。また、高圧挿入部４２０の軸方向における縮径部３２３から先端部細部３２１の先端までの最短距離は、弁体１３０が閉塞位置にあるときの高圧用ソケット２の高圧ソケット本体の軸方向におけるプラグ固定部１１０Ｄからプラグ当接部１３０Ａまでの最短距離よりも長い。
【００５５】
このため、高圧挿入部４２０の縮径部３２３がプラグ固定部１１０Ｄの鋼球１４１により高圧用プラグ４が高圧ソケット本体に固定されて接続されているときに、高圧挿入部４２０の先端部細部３２１の先端がプラグ当接部１３０Ａに当接し、弁体１３０をバネ１２１の付勢力に抗して貫通孔１１０ａが弁部１３０Ｂにより閉塞されていない状態とすることができる。
【００５６】
同様に、弁体１３０が閉塞位置にあるときの低圧ソケット本体先端側部１１０の軸方向におけるプラグ固定部１１０Ｄからプラグ当接部１３０Ａまでの最短距離は、高圧用プラグ４の高圧挿入部４２０の軸方向における縮径部３２３から先端部の先端までの最短距離よりも短い。このため、低圧用ソケット１に高圧用プラグ４が挿入されて、高圧挿入部４２０の縮径部３２３に鋼球１４１が係合して高圧用プラグ４が低圧用ソケット１に固定されて接続されているときに、高圧挿入部４２０の先端部細部３２１の先端がプラグ当接部１３０Ａに当接し、弁体１３０をバネ１２１の付勢力に抗して貫通孔１１０ａが弁部１３０Ｂにより閉塞されていない状態とすることができる。この結果、安全上問題のなく低圧用ソケット１と高圧用プラグ４とを接続して使用することができ、互換性を高めることができる。
【００５７】
次に、低圧用ソケット１に低圧用プラグ３を接続する際の接続動作について説明する。図５に示される状態から図６に示され状態のように低圧用プラグ３の低圧挿入部３２０を低圧用ソケット１に挿入してゆくと、図６に示されるように、低圧用プラグ３の先端部拡径部３２２の傾斜面が鋼球１４１を低圧ソケット本体の半径方向外方及び図５の右方へ押圧する。鋼球１４１は、第１弦巻バネ１４４による付勢力に抗して球押圧部材１４２を低圧ソケット本体基端側部１２０の方向へ移動させ、低圧ソケット本体の半径方向外方へ移動し球開放位置へ移動する。このことにより、先端部拡径部３２２がプラグ固定部１１０Ｄよりも低圧ソケット本体基端側部１２０の方向へ挿入可能となる。
【００５８】
そして、先端部拡径部３２２がプラグ固定部１１０Ｄよりも低圧ソケット本体基端側部１２０の方向へ挿入され、鋼球１４１が縮径部３２３に対向すると、鋼球１４１は、第１弦巻バネ１４４の付勢力により押圧されているため、図７に示されるように球押入れ位置へと移動させられる。このことにより、低圧用プラグ３が低圧用ソケット１に接続固定された状態となり、この状態が、第１弦巻バネ１４４の付勢力による球押圧部材１４２からの鋼球１４１への押圧力により維持される。このとき、低圧用プラグ３の先端部細部３２１の先端はプラグ当接部１３０Ａに当接し弁体１３０を低圧ソケット本体基端側部１２０の方向たる図７の右方向へ移動させ、弁部１３０Ｂが隔壁部１１１の貫通孔１１０ａを閉塞していない状態となっており、低圧用ソケット１から低圧用プラグ３へと圧縮空気が流れる。
【００５９】
次に、低圧用ソケット１に接続固定されている低圧用プラグ３を低圧用ソケット１から引抜く際の動作について説明する。先ず、第２弦巻バネ１４５の付勢力に抗して球押圧部移動部材１４３を低圧ソケット本体基端側部１２０の方向、即ち、図７の右方向へ移動させる。すると、球押圧部移動部材１４３が球押圧部材１４２に当接し、球押圧部材１４２を図７の右方向へ移動させ球開放位置とする。このことにより、鋼球１４１が球押圧部材１４２により押圧されていない状態となる。更に、球押圧部移動部材１４３を低圧ソケット本体基端側部１２０の方向へ移動させてゆくと、鋼球１４１が第３段部１４３Ｃに対向し、先端部拡径部３２２の傾斜面により鋼球１４１が第３段部１４３Ｃに係合するように低圧ソケット本体の半径方向外方へ移動して、鋼球１４１は球開放位置へ移動する。このとき、弁体１３０はバネ１２１の付勢力により図８の左方向へ移動させられ、弁部１３０Ｂにより隔壁部１１１の貫通孔１１０ａを閉塞する閉塞位置へと移動させられ、低圧用ソケット１から低圧用プラグ３への圧縮空気の流れが止まる。
【００６０】
高圧用ソケット２に高圧用プラグ４を接続する際の接続動作、高圧用ソケット２に接続固定されている高圧用プラグ４を高圧用ソケット２から引抜く際の動作は、上述の低圧用ソケット１、低圧用プラグ３の場合と同様であり説明を省略する。高圧用ソケット２に高圧用プラグ４を接続した状態は、図９に示されるとおりである。
【００６１】
また、低圧用ソケット１に高圧用プラグ４を接続する際の接続動作、低圧用ソケット１に接続固定されている高圧用プラグ４を高圧用ソケット２から引抜く際の動作は、上述の低圧用ソケット１、低圧用プラグ３の場合と同様であり説明を省略する。
【００６２】
高圧用ソケット２に低圧用プラグ３を接続しようとして低圧挿入部３２０を高圧用ソケット２に挿入した場合には、低圧用プラグ３の第２拡径部３２５の径が高圧用ソケット２の拡径部挿入部２１０Ｅの径よりも大きいため、開口部１１０Ａに第２拡径部３２５が当接してしまい、低圧挿入部３２０全体を挿入することができない。このため、鋼球１４１を低圧挿入部３２０の縮径部３２３に係合させることができず、高圧用ソケット２に低圧用プラグ３を接続固定することはできない。このように開口部１１０Ａに第２拡径部３２５が当接しているときには、図１０に示されるように、低圧挿入部３２０の先端部細部３２１の先端が弁体１３０のプラグ当接部１３０Ａに届かず、弁体１３０を押圧することができない。このため、弁部１３０Ｂによる隔壁部１１１の貫通孔１１０ａの閉塞が維持されており、高圧用ソケット２から圧縮空気は漏れない。
【００６３】
本発明による第一のソケット、第二のソケット、第一のプラグ、第二のプラグ、及びソケットは、上述した実施の形態に限定されず、特許請求の範囲に記載した範囲で種々の変形や改良が可能である。例えば、低圧用プラグ３の先端部拡径部３２２の径と第１拡径部３２４の径とは同一であったが、第１拡径部３２４の径の方が大きくてもよい。同様に、高圧用プラグ４の先端部拡径部３２２の径と拡径部４２４の径とは同一であったが、拡径部４２４の径の方が大きくてもよい。
【００６４】
また、高圧用プラグ４の高圧部基部の形状、低圧用プラグ３の低圧部基部の形状、高圧用ソケット２の高圧ソケット本体先端側部２１０の他端部及びその近傍の形状、低圧用ソケット１の低圧ソケット本体先端側部１１０の他端部及びその近傍の形状は、本実施の形態の形状に限定されない。高圧用プラグ４、低圧用プラグ３、高圧用ソケット２、低圧用ソケット１が固定されるホースやエアコンプレッサの一部や補助タンクの一部の形状に適合した形状とすればよい。
【図面の簡単な説明】
【００６５】
【図１】本発明の実施の形態による低圧用ソケットを示す断面図。
【図２】本発明の実施の形態による高圧用ソケットを示す断面図。
【図３】本発明の実施の形態による低圧用プラグを示す断面図。
【図４】本発明の実施の形態による高圧用プラグを示す断面図。
【図５】本発明の実施の形態による低圧用プラグを低圧用ソケットに挿入する前の状態を示す断面図。
【図６】本発明の実施の形態による低圧用プラグを低圧用ソケットに挿入させている状態を示す断面図。
【図７】本発明の実施の形態による低圧用プラグを低圧用ソケットに挿入し固定させている状態を示す断面図。
【図８】本発明の実施の形態による低圧用プラグを低圧用ソケットから引抜いている状態を示す断面図。
【図９】本発明の実施の形態による高圧用プラグを高圧用ソケットに挿入し固定させている状態を示す断面図。
【図１０】本発明の実施の形態による低圧用プラグを高圧用ソケットに挿入することができない状態を示す断面図。
【符号の説明】
【００６６】
１・・・低圧用ソケット  ２・・・高圧用ソケット  ３・・・低圧用プラグ  ３ａ・・・内部圧縮空気流路  ４・・・高圧用プラグ  １１０・・・低圧ソケット本体先端側部  １１０Ａ・・・開口部  １１０Ｂ・・・先端部細部挿入部  １１０Ｃ・・・先端部拡径部挿入部  １１０Ｄ・・・プラグ固定部  １１０Ｅ・・・第１拡径部挿入部  １１０Ｆ・・・第２拡径部挿入部  １１０ａ・・・貫通孔  １１０ｂ・・・固定部貫通孔  １１１・・・隔壁部  １１４・・・Ｏリング  １２０・・・低圧ソケット本体基部側部、高圧ソケット本体基部側部  １２１・・・バネ  １３０・・・弁体  １３０Ａ・・・プラグ当接部  １３０Ｂ・・・弁部  １４１・・・鋼球  １４２・・・球押圧部材  １４３・・・球押圧部移動部材  １４４・・・第１弦巻バネ  １４５・・・第２弦巻バネ  ２１０・・・高圧ソケット本体先端部側部  ２１０Ｅ・・・拡径部挿入部  ３１０・・・低圧基部  ３２０・・・低圧挿入部  ３２１・・・先端部細部  ３２２・・・先端部拡径部  ３２３・・・縮径部  ３２４・・・第１拡径部  ３２５・・・第２拡径部  ４１０・・・高圧基部  ４２０・・・高圧挿入部  ４２４・・・拡径部
【図１】
0005288539.tif 000002
【図２】
0005288539.tif 000003
【図３】
0005288539.tif 000004
【図４】
0005288539.tif 000005
【図５】
0005288539.tif 000006
【図６】
0005288539.tif 000007
【図７】
0005288539.tif 000008
【図８】
0005288539.tif 000009
【図９】
0005288539.tif 000010
【図１０】
0005288539.tif 000011